(57)【要約】  本発明のスライダーのスライダー胴体(1,2,3,4,5,6)は、スライダー主部材(21,31,41,51,71,91) と、スライダー副部材(22,32,42,52,72,92) とを有する。スライダー主部材(21,31,41,51,71,91) は、案内柱(13,63,83)を介して連結された第１翼板(12,17,18,19,61,81) の少なくとも一部と第２翼板(11,62,82)の少なくとも一部とを有する。前記スライダー副部材(22,32,42,52,72,92) は、一対の第１フランジ部(15,65,85)を有し、且つ、スライダー主部材(21,31,41,51,71,91) に組み付け固定される。このような本発明のスライダーは、ファスナーチェーンに容易に取り付けることが可能である。また、第１及び第２翼板間の間隔が所定の寸法を安定して有するため、スライダーの良好な摺動性や操作性を確保できる。
2014006773.tif 000002
【特許請求の範囲】
【請求項１】
第１翼板(12,17,18,19,61,81) と、前記第１翼板(12,17,18,19,61,81) に対向して配される第２翼板(11,62,82)と、前記第１及び第２翼板(11,12,17,18,19,61,62,81,82)の肩口側端部間を連結する案内柱(13,63,83)と、前記第１翼板(12,17,18,19,61,81) の左右側縁部に配され、前記第２翼板(11,62,82)の左右側縁部に向けて延びる一対の第１フランジ部(15,65,85)とを少なくとも備えたスライダー胴体(1,2,3,4,5,6) と、前記第１及び第２翼板(11,12,17,18,19,61,62,81,82)の少なくとも１つに配された引手(9) とを有し、前記スライダー胴体（1,2,3,4,5,6） には、少なくとも前記第１翼板(12,17,18,19,61,81) 、前記第２翼板(11,62,82)、及び一対の第１フランジ部(15,65,85)の各内壁面からなるエレメント案内面によって囲まれたエレメント案内路を備えるスライドファスナー用スライダーであって、
前記スライダー胴体(1,2,3,4,5,6) は、スライダー主部材(21,31,41,51,71,91) と、同スライダー主部材(21,31,41,51,71,91) から独立して形成されたスライダー副部材(22,32,42,52,72,92) とを有し、
前記スライダー主部材(21,31,41,51,71,91) は、前記第１翼板(12,17,18,19,61,81) の少なくとも肩口側端部のエレメント案内面を含む部分と前記第２翼板(11,62,82)の少なくとも肩口側端部のエレメント案内面を含む部分とが、前記案内柱(13,63,83)を介して連結一体化されてなり、
前記スライダー副部材(22,32,42,52,72,92) は、前記一対の第１フランジ部(15,65,85)を有し、且つ、前記スライダー主部材(21,31,41,51,71,91) に組み付け固定されてなる、
ことを特徴とするスライダー。
【請求項２】
前記スライダー主部材(21,31,41,51,71,91) は、肩口側端縁から後口側端縁まで連続する前記第１翼板(12,17,18,19,61,81) 側のエレメント案内面と、肩口側端縁から後口側端縁まで連続する前記第２翼板(11,62,82)側のエレメント案内面とを備えてなる請求項１記載のスライダー。
【請求項３】
前記第１翼板(12,17,18,19,61,81) は、
前記スライダー主部材(21,31,41,51,71,91) に配され、前記エレメント案内面を備えた第１主体部(12a,17a,18a,19a,61a,81a) と、
前記スライダー副部材(22,32,42,52,72,92)に配されて前記一対の第１フランジ部(15,65,85)間を連結し、前記第１主体部(12a,17a,18a,19a,61a,81a) に組み付けられる第２主体部(12b,17b,18b,19b,61b,81b) と
を有してなる請求項１又は２記載のスライダー。
【請求項４】
前記スライダー副部材(22,32,72,92) は、前記第２主体部(12b,17b,61b,81b) に設けた嵌着部(22b,22c,32b,32c,72b,72c) を前記第１主体部(12a,17a,61a,81a) に設けた被嵌着部(21b,21c,31b,31c,71b,71c) に嵌着させて、前記スライダー主部材(21,31,71,91) に組み付け固定されてなる請求項３記載のスライダー。
【請求項５】
前記スライダー主部材(21)の前記被嵌着部は、前記第１主体部(12a) の肩口側端部に配された凹状の第１被嵌着部(21b) と、前記第１主体部(12a) の左右側縁部からスライダー幅方向の外側に突出した第２被嵌着部(21c)とを有し、
前記第２主体部(12b) は、基部(22a) と、前記基部(22a) の左右側縁部に配され、前記第１フランジ部(15)を支える土台部(22d) と、前記基部(22a) から肩口側方向に延出し、弾性変形可能な延出部(22e) とを有し、
前記スライダー副部材(22)の前記嵌着部は、前記延出部(22e) の先端部に立設され、前記第１被嵌着部(21b) に嵌着するフック状の第１嵌着部(22b) と、前記土台部(22d) に凹設され、前記第２被嵌着部(21c) に嵌着する凹溝状の第２嵌着部(22c) とを有してなる、
請求項４記載のスライダー。
【請求項６】
前記スライダー主部材(31,71,91)の前記被嵌着部は、前記第１主体部(17a,61a,81a) の肩口側端部に配された凹溝状の第１被嵌着部(31b,71b) と、前記第１主体部(17a,61a,81a) の後口側端部に配された凹溝状の第２被嵌着部(31c,71c) とを有し、
前記第２主体部(17b,61b,81b) は、当該第２主体部(17b,61b,81b) の肩口側端部に配され、前記第１被嵌着部(31b,71b) に嵌着可能なフック状の第１嵌着部(32b,72b) と、当該第２主体部(17b,61b,81b) の後口側端部に配され、前記第２被嵌着部(31c,71c) に嵌着可能なフック状の第２嵌着部(32c,72c) とを有してなる、
請求項４記載のスライダー。
【請求項７】
前記第２主体部(17b,61b,81b) は、基部(32a,72a) と、前記基部(32a,72a) の後口側端部に形成された一対の切込み部(32f,72f) と、一対の前記切込み部(32f,72f) に挟まれ、弾性変形可能な舌片部(32g,72g) とを有し、
前記第１嵌着部(32b,72b) は、前記基部(32a,72a) の肩口側端部に立設され、前記第２嵌着部(32c,72c) は、前記舌片部(32g,72g) の後口側端部に立設されてなる、
請求項６記載のスライダー。
【請求項８】
前記スライダー副部材(42)は、接着又は溶着により前記スライダー主部材(41)に組み付け固定されてなる請求項１〜３のいずれかに記載のスライダー。
【請求項９】
前記スライダー副部材(52)は、固定部材(53)を用いて前記スライダー主部材(51)に組み付け固定されてなる請求項１〜３のいずれかに記載のスライダー。
【請求項１０】
前記第２翼板(82)の左右側縁部に、前記第１翼板(81)に向けて延びる一対の第２フランジ部(86)が配され、
前記スライダー胴体(6) は、前記スライダー主部材(91)及び前記スライダー副部材(92)から独立して形成されたスライダー第２副部材(93)を更に有し、
前記スライダー第２副部材(93)は、前記一対の第２フランジ部(86)を有し、且つ、前記スライダー主部材(91)に組み付け固定されてなる、
請求項１〜９のいずれかに記載のスライダー。
【請求項１１】
スライドファスナー(8a,8b) に取着されたスライダーを、請求項１〜１０のいずれかに記載のスライダー(1a)に交換することにより当該スライドファスナー(8a,8b) の修理を行うことを特徴とするスライドファスナーの修理方法。
【発明の詳細な説明】
【技術分野】
【０００１】
本発明は、少なくとも２つのスライダー部材が互いに組み付けられて構成されるスライダーに関し、特に、そのエレメント案内路にスライドファスナーのエレメント列を挿入してスライダー胴体を組み立てることにより、その組み立てと同時にエレメント列に取着することが可能なスライダーに関する。
【背景技術】
【０００２】
従来、スライドファスナーは、衣類やカバン類などの物品の開口部に取り付けられて使用され、当該スライドファスナーに配されたスライダーをエレメント列に沿って摺動させることにより、左右のエレメント列を噛合・分離させて物品の開口部が開閉される。【０００３】
一般に、スライドファスナーに用いられるスライダーは、上下翼板が案内柱で連結されたスライダー胴体と、スライダー胴体に対して回動可能に保持された引手とを有しており、スライダー胴体の上下翼板間には、左右のエレメント列が案内される略Ｙ字状のエレメント案内路が形成されている。【０００４】
このようなスライドファスナー用スライダーの中には、第１翼板（例えば、下翼板）を有する第１スライダー部材と、第２翼板（例えば、上翼板）を有する第２スライダー部材とを別々に成形し、第１スライダー部材と第２スライダー部材とを相互に結合させることによって構成されるタイプのスライダー（分割スライダーと呼ばれることもある）が知られている。【０００５】
複数のスライダー部材から構成される分割タイプのスライダーは、例えばファスナーチェーンのエレメント列の両端に止具や開離嵌挿具などの部材が設けられた後に、当該ファスナーチェーンのエレメント列に対して容易に取着することが可能となる。このような複数のスライダー部材から構成される分割タイプのスライダーについては、例えば、特開平５−９５８０７号公報（特許文献１）や、米国特許第３，１４９，９２７号明細書（特許文献２）などに開示されている。【０００６】
特許文献１に記載されているスライダーは、スライダー胴体に引手が取り付けられて構成されている。また、スライダー胴体は、互いに平行に配された上下翼板が連結柱により連結されており、上下翼板間には、略Ｙ字状のエレメント案内路が形成されている。【０００７】
例えば図２０の（Ａ）に示したように、この特許文献１におけるスライダー胴体１００は、互いに別々に成形された第１スライダー部材１０１と第２スライダー部材１０２とを有しており、これらの第１及び第２スライダー部材１０１，１０２が連結柱１０３の位置で互いに結合することにより構成されている。【０００８】
特許文献１の第１スライダー部材１０１は、下翼板１０１ａと、下翼板１０１ａの肩口側端部に配された第１分割連結柱１０１ｂとを有しており、第１分割連結柱１０１ｂには、上下方向に貫通した結合孔１０１ｃが穿設されている。【０００９】
第２スライダー部材１０２は、上翼板１０２ａと、上翼板１０２ａの肩口側端部に垂設された第２分割連結柱１０２ｂと、第２分割連結柱１０２ｂの下端面から垂設された断面円形状の結合突起部１０２ｃとを有している。また、結合突起部１０２ｃの先端部外周面には凹溝部１０２ｄが設けられている。【００１０】
更に、第１スライダー部材１０１の第１分割連結柱１０１ｂの上端面と、第２スライダー部材１０２の第２分割連結柱１０２ｂの下端面とには、第１及び第２スライダー部材１０１，１０２の位置決めを行うために、相互に係合する図示しない係合突起と係合溝が形成されている。【００１１】
これらの第１及び第２スライダー部材１０１，１０２を用いてスライダー胴体１００を組み立てる場合、先ず、図２０の（Ｂ）に示したように、前記係合突起及び係合溝を利用して第１スライダー部材１０１と第２スライダー部材１０２の相対的な位置を合わせながら、第２スライダー部材１０２の結合突起部１０２ｃを、第１スライダー部材１０１の結合孔１０１ｃに嵌入し、その嵌入状態を治具などで保持する。【００１２】
続いて、図２０の（Ｃ）に示したように、第１スライダー部材１０１の下翼板１０１ａの下面における結合孔１０１ｃの周縁にポンチ１０４を打ち込む。このようにポンチ１０４を下翼板１０１ａに打ち込んで食い込ませることにより、下翼板１０１ａにおける結合孔１０１ｃの内周面の肉の一部が流動して、第１スライダー部材１０１の結合突起部１０２ｃに設けた凹溝部１０２ｄに侵入する。その結果、結合突起部１０２ｃが結合孔１０１ｃ内で固定されて、第１スライダー部材１０１と第２スライダー部材１０２とが組み立て固定された特許文献１のスライダー胴体１００が構成される。【００１３】
このような特許文献１のスライダー胴体１００は、下翼板１０１ａの塑性変形を利用して第１スライダー部材１０１に第２スライダー部材１０２を固定するため、第１スライダー部材１０１と第２スライダー部材１０２とが強固に結合される。【００１４】
また、特許文献１のスライダー胴体１００では、ポンチ１０４の打ち込みによって生じるポンチ跡（凹溝）が形成されるものの、そのポンチ跡は下翼板１０１ａの下面に形成されてスライドファスナーの使用時には外部に直接露出しないため、外観品質の低下が抑制される。【００１５】
一方、特許文献２に記載されているスライダーは、スライダー胴体に引手が取り付けられて構成されている。また、スライダー胴体は、平行に配された上下翼板が連結柱により連結されており、上下翼板間には、略Ｙ字状のエレメント案内路が形成されている。また、特許文献２のスライダー胴体は、互いに別々に成形された第１スライダー部材と第２スライダー部材とを有しており、これらの第１及び第２スライダー部材とが連結柱で結合することにより構成されている。【００１６】
特許文献２の第１スライダー部材は、下翼板と、下翼板の肩口側端部に立設された第１分割連結柱とを有しており、第１分割連結柱の上端面には、複数の孔部が上下方向に沿って形成されている。特許文献２の第２スライダー部材は、上翼板と、上翼板の肩口側端部に垂設された第２分割連結柱と、第２分割連結柱の下端面から突出した複数のスタッドとを有している。この場合、第１スライダー部材の第１分割連結柱に形成した複数の孔部の位置と、第２スライダー部材の第２分割連結柱から突出した複数のスタッドの位置とは、互いに対応するように設定されている。【００１７】
このような特許文献２のスライダー胴体の場合、第１スライダー部材の複数の孔部に、第１スライダー部材の複数のスタッドを挿入し、更に、第１スライダー部材の第１分割連結柱と第２スライダー部材の第２分割連結柱とが互いに密着するように第１スライダー部材と第２スライダー部材とを外側から押圧することによって、第１スライダー部材の第１分割連結柱と第２スライダー部材の第２分割連結柱とを接合させる。【００１８】
これにより、第１スライダー部材と第２スライダー部材とが互いに組み付けられた特許文献２のスライダー胴体が構成される。このような特許文献２のスライダー胴体は、その組立作業が簡単に行われる。
【先行技術文献】
【特許文献】
【００１９】
【特許文献１】特開平５−９５８０７号公報
【特許文献２】米国特許第３，１４９，９２７号明細書
【発明の概要】
【発明が解決しようとする課題】
【００２０】
特許文献１及び特許文献２に記載されている従来のスライダーにおいては、上下翼板を連結する案内柱が第１分割連結柱と第２分割連結柱とに分割され、一方の第１スライダー部材に、第１翼板（下翼板）と第１分割連結柱とが配され、他方の第２スライダー部材に、第２翼板（上翼板）と第２分割連結柱とが配されている。従って、従来のスライダー胴体では、前述のように、第１分割連結柱と第２分割連結柱とを接合して１本の案内柱を形成することにより、第１スライダー部材と第２スライダー部材とが互いに組み付けられて固定される構造を採用している。【００２１】
しかし、一般に、第１スライダー部材と第２スライダー部材とからスライダー胴体を組み立てる際には、組立誤差が生じることがある。このため特許文献１や特許文献２のように第１スライダー部材と第２スライダー部材との境界部が案内柱に設定される従来のスライダー胴体の場合では、組み立てられたスライダー胴体の上下翼板間の寸法に、特にスライダー胴体の案内柱を挟んで形成される左右の肩口側端部における上下翼板間の寸法に、バラツキ（誤差）が生じ易くなるという問題があった。【００２２】
このようにスライダー胴体の上下翼板間の寸法にバラツキが生じてしまうと、組み立てられたスライダーによっては、スライダーを摺動させて左右のエレメント列を噛み合わせる際に、上下翼板間のエレメント案内路内にてファスナーエレメントの姿勢や動きが安定せず、左右のエレメント列の噛み合わせが円滑に行えない虞や、スライダーの摺動性や操作性を低下させる虞があった。【００２３】
また、特許文献１や特許文献２のスライダー胴体を組み立てると同時に当該スライダー胴体をファスナーチェーンのエレメント列に取り付ける場合、スライダー胴体の組み立て時に、第１スライダー部材、第２スライダー部材、及び左右のエレメント列の位置を相互に合わせながらスライダー胴体の組み立て作業が行われる。【００２４】
この場合、特許文献１や特許文献２のスライダー胴体では、左右のエレメント列を、第１スライダー部材の下翼板と第２スライダー部材の上翼板のそれぞれに対して位置決めをしながら、第１スライダー部材と第２スライダー部材とを相互に結合させる必要があるため、スライダー胴体の組立作業の煩雑化や作業効率の低下を招いていた。【００２５】
また、特に特許文献１のスライダー胴体１００の場合、前述のように、第１スライダー部材１０１の結合孔１０１ｃに第２スライダー部材１０２の結合突起部１０２ｃを嵌入させた状態を保持した上で、ポンチ１０４の打ち込みによる下翼板１０１ａの塑性変形を利用して、第１スライダー部材１０１に第２スライダー部材１０２を固定している。【００２６】
このため、特許文献１のスライダー胴体１００は、その組立作業の内容が非常に細かく、且つ煩雑になることから、実用性に欠けるところがあった。また、ポンチ１０４の打ち込みによる下翼板１０１ａの塑性変形を利用してスライダー胴体１００が組み立てられるため、ポンチ１０４の打ち込み位置などによっては、第１スライダー部材１０１と第２スライダー部材１０２の結合強度（固定強度）にバラツキが生じる虞もあった。【００２７】
一方、特許文献２のスライダー胴体は、前述のように、第１スライダー部材の複数の孔部に、第１スライダー部材の複数のスタッドを挿入し、更に、第１スライダー部材の第１分割連結柱と第２スライダー部材の第２分割連結柱とが互いに密着するように第１及び第２スライダー部材を押圧することによって組み立てられている。【００２８】
このため、特許文献２のスライダー胴体の組立作業は、特許文献１のスライダー胴体に比べて簡単であるものの、特許文献２のスライダー胴体では、第１スライダー部材と第２スライダー部材とが基本的にスタッドのみによって固定されているため、第１及び第２スライダー部材間の結合強度（固定強度）が十分に得られないことがあった。【００２９】
従って、例えば特許文献２に係るスライダーをスライドファスナーのエレメント列に沿って摺動させるために、当該スライダーの引手を強く引っ張ったときに、そのスライダー胴体が第１スライダー部材と第２スライダー部材とに分解することがあった。【００３０】
本発明は上記従来の課題に鑑みてなされたものであって、その具体的な目的は、複数のスライダー部材が互いに強固に組み付けられてスライダー胴体が構成され、且つ、そのスライダー胴体の組み立て作業が簡単且つ容易であり、また、スライダー胴体における第１翼板及び第２翼板間の寸法にバラツキを生じ難くすることが可能なスライドファスナー用スライダーを提供すること、更には、そのスライダーを利用したスライドファスナーの修理方法を提供することにある。
【課題を解決するための手段】
【００３１】
上記目的を達成するために、本発明により提供されるスライドファスナー用スライダーは、基本的な構成として、第１翼板と、前記第１翼板に対向して配される第２翼板と、前記第１及び第２翼板の肩口側端部間を連結する案内柱と、前記第１翼板の左右側縁部に配され、前記第２翼板の左右側縁部に向けて延びる一対の第１フランジ部とを少なくとも備えたスライダー胴体と、前記第１及び第２翼板の少なくとも１つに配された引手とを有し、前記スライダー胴体には、少なくとも前記第１翼板、前記第２翼板、及び一対の第１フランジ部の各内壁面からなるエレメント案内面によって囲まれたエレメント案内路を備えるスライドファスナー用スライダーであって、前記スライダー胴体は、スライダー主部材と、同スライダー主部材から独立して形成されたスライダー副部材とを有し、前記スライダー主部材は、前記第１翼板の少なくとも肩口側端部のエレメント案内面を含む部分と前記第２翼板の少なくとも肩口側端部のエレメント案内面を含む部分とが、前記案内柱を介して連結一体化されてなり、前記スライダー副部材は、前記一対の第１フランジ部を有し、且つ、前記スライダー主部材に組み付け固定されてなることを最も主要な特徴とするものである。【００３２】
本発明に係るスライダーにおいて、前記スライダー主部材は、肩口側端縁から後口側端縁まで連続する前記第１翼板側のエレメント案内面と、肩口側端縁から後口側端縁まで連続する前記第２翼板側のエレメント案内面とを備えていることが好ましい。【００３３】
また、本発明に係るスライダーにおいて、前記第１翼板は、前記スライダー主部材に配され、前記エレメント案内面を備えた第１主体部と、前記スライダー副部材に配されて前記一対の第１フランジ部間を連結し、前記第１主体部に組み付けられる第２主体部とを有していることが好ましい。【００３４】
更に、本発明に係るスライダーにおいて、前記スライダー副部材は、前記第２主体部に設けた嵌着部を前記第１主体部に設けた被嵌着部に嵌着させて、前記スライダー主部材に組み付け固定されていることが好ましい。【００３５】
この場合、前記スライダー主部材の前記被嵌着部は、前記第１主体部の肩口側端部に配された凹状の第１被嵌着部と、前記第１主体部の左右側縁部からスライダー幅方向の外側に突出した第２被嵌着部とを有し、前記第２主体部は、基部と、前記基部の左右側縁部に配され、前記第１フランジ部を支える土台部と、前記基部から肩口側方向に延出し、弾性変形可能な延出部とを有し、前記スライダー副部材の前記嵌着部は、前記延出部の先端部に立設され、前記第１被嵌着部に嵌着するフック状の第１嵌着部と、前記土台部に凹設され、前記第２被嵌着部に嵌着する凹溝状の第２嵌着部とを有していることが特に好ましい。【００３６】
また、前記スライダー主部材の前記被嵌着部は、前記第１主体部の肩口側端部に配された凹溝状の第１被嵌着部と、前記第１主体部の後口側端部に配された凹溝状の第２被嵌着部とを有し、前記第２主体部は、当該第２主体部の肩口側端部に配され、前記第１被嵌着部に嵌着可能なフック状の第１嵌着部と、当該第２主体部の後口側端部に配され、前記第２被嵌着部に嵌着可能なフック状の第２嵌着部とを有していても良い。【００３７】
この場合、前記第２主体部は、基部と、前記基部の後口側端部に形成された一対の切込み部と、一対の前記切込み部に挟まれ、弾性変形可能な舌片部とを有し、前記第１嵌着部は、前記基部の肩口側端部に立設され、前記第２嵌着部は、前記舌片部の後口側端部に立設されていることが好ましい。【００３８】
また、本発明に係るスライダーにおいて、前記スライダー副部材は、接着又は溶着により前記スライダー主部材に組み付けて固定されていても良く、又は、前記スライダー副部材は、固定部材を用いて前記スライダー主部材に組み付けて固定されていても良い。【００３９】
本発明に係るスライダーにおいて、前記第２翼板の左右側縁部に、前記第１翼板に向けて延びる一対の第２フランジ部が配され、前記スライダー胴体は、前記スライダー主部材及び前記スライダー副部材から独立して形成されたスライダー第２副部材を更に有し、前記スライダー第２副部材は、前記一対の第２フランジ部を有し、且つ、前記スライダー主部材に組み付け固定されていることが好ましい。【００４０】
また本発明によれば、スライドファスナーに取着されたスライダーを、上述のような構成を有するスライダーに交換することにより当該スライドファスナーの修理を行うスライドファスナーの修理方法が提供される。
【発明の効果】
【００４１】
本発明に係るスライドファスナー用スライダーでは、第１及び第２翼板が連結柱で連結されたスライダー胴体が、互いに組み付けることが可能なスライダー主部材とスライダー副部材とを有している。この場合、スライダー胴体の第１翼板は、フランジ部が配される側の翼板である（なお本発明では、後述するように、スライダー胴体の第２翼板にも、フランジ部が配されることがある）。【００４２】
また、スライダー主部材は、第１翼板の少なくとも肩口側端部のエレメント案内面を含む部分と、第２翼板の少なくとも肩口側端部のエレメント案内面を含む部分とが案内柱を介して成形により連結一体化されて構成されている。スライダー副部材は、一対の第１フランジ部を有し、且つ、スライダー主部材に組み付け固定されている。【００４３】
この場合、本発明におけるスライダー胴体には、少なくとも第１翼板、第２翼板、及び一対の第１フランジ部の各内壁面からなるエレメント案内面によって囲まれたエレメント案内路が形成されており、そのエレメント案内路の内壁面（エレメント案内面）となるスライダー胴体の第１翼板、第２翼板、及び一対の第１フランジ部の内壁面は、少なくともスライダー主部材とスライダー副部材との両方で構成される。このため、スライドファスナーのエレメント列をエレメント案内路に挿入してスライダー胴体を組み立てることが可能となり、スライダー胴体の組み立てと同時に当該スライダー胴体をエレメント列に取着することができる。【００４４】
このようなスライダー胴体を有する本発明のスライダーでは、スライダー主部材の全体が成形により一体化されて構成されている。このため、第１翼板の肩口側端部のエレメント案内面を含む部分と、第２翼板の肩口側端部のエレメント案内面を含む部分との間の寸法（すなわち、第１及び第２翼板の肩口側端部のエレメント案内面間の寸法）が、スライダー主部材とスライダー副部材とからスライダー胴体を組み立てる際の組立精度の影響を受けることなく、所定の大きさを安定して有するため、当該寸法にバラツキ（誤差）が生じることを防止できる。【００４５】
すなわち、本発明のスライダー胴体は、例えば前記特許文献１や特許文献２のように第１翼板とが第２翼板とがそれぞれ別々のスライダー部材に配されているスライダー胴体に比べて、スライダー胴体の組み立て後における第１翼板及び第２翼板間の寸法（特に、肩口側端部のエレメント案内面間の寸法）に、バラツキ（誤差）を生じ難くすることができ、それによって、当該スライダーの第１及び第２翼板間に形成されるエレメント案内路の大きさ及び形態を安定させることができる。【００４６】
従って、本発明に係るスライダーをスライドファスナーに取り付けてエレメント列に沿って摺動させたときに、当該スライダーのエレメント案内路内におけるファスナーエレメントの姿勢や動きを安定させることができる。このため、左右のエレメント列の噛み合わせが円滑に行うことができ、また、スライダーの良好な摺動性や操作性を確保することができる。【００４７】
また本発明に係るスライダーは、上述のように、スライダー主部材に第１翼板の一部と第２翼板の一部とが案内柱を介して一体的に配されている。このため、例えばスライダー胴体を組み立てると同時に当該スライダー胴体をファスナーチェーンのエレメント列に取り付ける場合に、スライダー主部材の第１及び第２翼板間に左右のエレメント列を容易に位置決めして保持でき、その後、左右のエレメント列を保持したスライダー主部材に対してスライダー副部材を安定して組み付けて固定することができる。従って、本発明によれば、スライダー胴体をエレメント列に取り付ける作業を、例えば前記特許文献１や特許文献２の場合に比べて、簡単に且つ効率的に行うことが可能となる。【００４８】
このような本発明に係るスライダーにおいて、スライダー主部材は、肩口側端縁から後口側端縁まで連続する第１翼板側のエレメント案内面と、肩口側端縁から後口側端縁まで連続する第２翼板側のエレメント案内面とを備えている。これにより、スライダー主部材とスライダー副部材とを組み立ててスライダー胴体を構成したときに、当該スライダー胴体の肩口側端縁から後口側端縁までのエレメント案内面に段差が形成されることを防いで、当該エレメント案内面を平坦にすることができる。【００４９】
その結果、本発明に係るスライダーをスライドファスナーに取り付けてエレメント列に沿って摺動させたときに、当該スライダーのエレメント案内面にファスナーエレメントが引っ掛かるなどの不具合が生じることを防ぎ、スライダーの摺動性や操作性を更に向上させることができる。【００５０】
また、本発明に係るスライダーにおいて、第１翼板は、スライダー主部材に配され、エレメント案内面を備えた第１主体部と、スライダー副部材に配されて一対の第１フランジ部間を連結し、第１主体部に組み付けられる第２主体部とを有している。このように第１主体部と第２主体部とから第１翼板を構成することにより、スライダー主部材及びスライダー副部材を比較的簡単な構造で構成できるとともに、スライダー副部材をスライダー主部材に安定して組み付けることができる。【００５１】
更に、本発明に係るスライダーにおいて、スライダー副部材は、第２主体部に設けた嵌着部を第１主体部に設けた被嵌着部に嵌着させて、スライダー主部材に組み付け固定されている。これにより、スライダー胴体の組み立てをより簡単に且つ容易に行うことができる。【００５２】
この場合、スライダー主部材の被嵌着部は、第１主体部の肩口側端部に配された凹状の第１被嵌着部と、第１主体部の左右側縁部からスライダー幅方向の外側に突出した第２被嵌着部とを有する。また、第２主体部は、基部と、基部の左右側縁部に配され、第１フランジ部を支える土台部と、基部から肩口側方向に延出し、弾性変形可能な延出部とを有する。更に、スライダー副部材の嵌着部は、延出部の先端部に立設され、第１被嵌着部に嵌着するフック状の第１嵌着部と、土台部に凹設され、第２被嵌着部に嵌着する凹溝状の第２嵌着部とを有する。【００５３】
このようにスライダー主部材及びスライダー副部材が構成されていることにより、スライダー主部材及びスライダー副部材に被嵌着部及び嵌着部をそれぞれ簡単な構造で設けることができ、しかも、スライダー主部材とスライダー副部材とを互いに強固に固定することができる。【００５４】
一方、本発明に係るスライダーでは、スライダー主部材の被嵌着部は、第１主体部の肩口側端部に配された凹溝状の第１被嵌着部と、第１主体部の後口側端部に配された凹溝状の第２被嵌着部とを有しており、また、第２主体部は、当該第２主体部の肩口側端部に配され、第１被嵌着部に嵌着可能なフック状の第１嵌着部と、当該第２主体部の後口側端部に配され、第２被嵌着部に嵌着可能なフック状の第２嵌着部とを有していても良い。【００５５】
この場合、第２主体部は、基部と、基部の後口側端部に形成された一対の切込み部と、一対の前記切込み部に挟まれ、弾性変形可能な舌片部とを有している。また、第１嵌着部は、第２主体部における基部の肩口側端部に立設され、前記第２嵌着部は、第２主体部における舌片部の後口側端部に立設されている。【００５６】
このようにスライダー主部材及びスライダー副部材が構成されていることによっても、スライダー主部材及びスライダー副部材に被嵌着部及び嵌着部をそれぞれ簡単な構造で設けることができ、しかも、スライダー主部材とスライダー副部材とを互いに強固に固定することができる。【００５７】
また、本発明に係るスライダーでは、スライダー副部材が、接着又は溶着によりスライダー主部材に組み付け固定されていても良い。これにより、スライダー主部材とスライダー副部材とを互いに強固に固定できるとともに、スライダー胴体を簡単に且つ容易に組み立てることができる。【００５８】
更に、本発明に係るスライダーでは、スライダー副部材が、固定部材を用いてスライダー主部材に組み付け固定されていても良い。これにより、スライダー主部材とスライダー副部材とを互いに強固に固定できるとともに、スライダー胴体を簡単に且つ容易に組み立てることができる。【００５９】
更に、本発明に係るスライダーでは、第２翼板の左右側縁部に、第１翼板に向けて延びる一対の第２フランジ部が配されている場合において、スライダー胴体は、スライダー主部材及びスライダー副部材から独立して形成されたスライダー第２副部材を更に有する。また、このスライダー第２副部材は、一対の第２フランジ部を有し、且つ、スライダー主部材に組み付け固定されている。【００６０】
このようにスライダー胴体が構成されていることにより、第１翼板と第２翼板の両方にフランジ部が配されていても、当該スライダー胴体を組み立てると同時に当該スライダー胴体をファスナーチェーンのエレメント列に簡単に且つ効率的に取り付けることが可能となる。【００６１】
そして、本発明により提供されるスライドファスナーの修理方法は、スライドファスナーに取着されたスライダーを、上述のような構成を有するスライダーに交換することによって、スライドファスナーの修理が行われる。【００６２】
すなわち、本発明の修理方法では、例えばスライドファスナーの使用時にスライダーに破損が生じた場合に、その破損したスライダーをエレメント列から取り外し、その後、当該エレメント列に本発明に係るスライダーを簡単に取着することができる。このため、スライドファスナーの修理を効率的に行うことができる。その結果、スライダーが破損してもスライドファスナー全体を交換する必要がないため、スライドファスナーの寿命を延長させることが可能となる。
【図面の簡単な説明】
【００６３】
【図１】本発明の実施例１に係るスライダーのスライダー胴体を示す斜視図である。
【図２】同スライダー胴体をスライダー主部材とスライダー副部材とに分解した分解斜視図である。
【図３】スライダー主部材とスライダー副部材の組み立てを説明する説明図である。
【図４】同スライダー胴体における組み立てられた状態を一部断面で示す模式図である。
【図５】図４に示したＶ−Ｖ線における断面図である。
【図６】修理されるスライドファスナーを示す平面図である。
【図７】本発明の実施例２に係るスライダーのスライダー胴体を示す斜視図である。
【図８】同スライダー胴体をスライダー主部材とスライダー副部材とに分解した分解斜視図である。
【図９】スライダー主部材とスライダー副部材の組み立てを説明する説明図である。
【図１０】同スライダー胴体における組み立てられた状態の断面図である。
【図１１】本発明の実施例３に係るスライダーのスライダー胴体を分解した分解斜視図である。
【図１２】同スライダー胴体における組み立てられた状態の断面図である。
【図１３】本発明の実施例４に係るスライダーのスライダー胴体を分解した分解斜視図である。
【図１４】同スライダー胴体における組み立てられた状態の断面図である。
【図１５】本発明の実施例５に係るスライダーのスライダー胴体を示す斜視図である。
【図１６】同スライダー胴体の断面図である。
【図１７】同スライダー胴体を後口側から見たときの模式図である。
【図１８】本発明の実施例６に係るスライダーのスライダー胴体を示す斜視図である。
【図１９】同スライダー胴体の断面図である。
【図２０】従来のスライダー胴体の組み立て方法を説明する断面図である。
【発明を実施するための形態】
【００６４】
以下、本発明の好適な実施の形態について、実施例を挙げて図面を参照しながら詳細に説明する。なお、本発明は、以下で説明する実施例に何ら限定されるものではなく、本発明と実質的に同一な構成を有し、かつ、同様な作用効果を奏しさえすれば、多様な変更が可能である。
【００６５】
例えば、以下に示す実施例では、ファスナーチェーンのエレメント列に１つのスライダーが取り付けられる場合について説明しているが、本発明では、ファスナーチェーンのエレメント列に、２つのスライダーを肩口側端部同士又は後口側端部同士が向かい合うように取り付けることも可能である。
【００６６】
また、以下に示す実施例では、スライダーの引手がスライダー胴体の上翼板側に配される場合について説明しているが、本発明では、引手をスライダー胴体の下翼板側に取り付けても良く、また、スライダー胴体の上翼板側と下翼板側の両方に取り付けても良い。
【００６７】
更に、以下の各実施例で説明するスライダーは、引手が引手取付柱に保持され、且つ、停止爪による停止機構を備えていない所謂自由スライダーとして構成されているが、本発明は、自由スライダーでは無いスライダー、例えば、引手取付柱の代わりにカバー体を上翼板の上面側に取り付けるタイプのスライダーや、停止爪がエレメント案内路に進退可能に配された停止機構を備えたタイプのスライダーにも同様に適用することが可能である。
【実施例１】
【００６８】
図１は、本実施例１に係るスライドファスナー用スライダーのスライダー胴体を示す斜視図である。図２は、同スライダー胴体をスライダー主部材とスライダー副部材とに分解した分解斜視図であり、図３は、スライダー主部材とスライダー副部材の組み立てを説明する説明図である。【００６９】
なお、以下の説明において、スライダーの摺動方向を前後方向と規定し、特に、スライダーがスライドファスナーのエレメント列を噛合させるために移動する方向を前方（肩口側方向）とし、エレメント列を分離させるために移動する方向（後口側方向）を後方とする。【００７０】
また、スライダーの高さ方向を上下方向と規定し、原則として、スライドファスナーが使用されるときに外部に露呈する側（例えば、スライダー胴体に対して引手が取り付けられる側）の方向を上方とし、その反対側の方向を下方とする。更に、スライダーの摺動方向に直交する方向で、スライダーの幅方向を左右方向と規定する。【００７１】
本実施例１のスライダー１ａは、図５に示したように、スライダー胴体１と、スライダー胴体１の上翼板１１側に回動可能に保持される引手９とを備えている。この本実施例１のスライダー１ａは、例えば左右のファスナーストリンガーのエレメント列がファスナーテープに対して下面側に配される、所謂裏使いタイプのスライドファスナー８ａに用いられる。なお、本発明において、引手９の構成は特に限定されない。【００７２】
本実施例１のスライダー胴体１は、上翼板１１と、下翼板１２と、上下翼板１１，１２の肩口側端部間を連結する案内柱１３と、上翼板１１の上面側に配された引手取付柱１４と、下翼板１２の左右側縁部に沿って立設される下フランジ部１５とを有している。なお、本実施例１の場合においては、下翼板１２が本発明の第１翼板として配され、上翼板１１が本発明の第２翼板として配されている。【００７３】
また、上翼板１１の下面（エレメント案内面）には、上翼板１１の左右側縁部に沿って配された第１隆起部１６ａと、案内柱１３から後端部（後口側端部）側に向けて延びる中央の第２隆起部１６ｂとが形成されている。一方、下翼板１２の上面（エレメント案内面）には、スライドファスナー８ａのファスナーエレメントを案内するための第３隆起部１６ｃが、案内柱１３から後方側に向けて延びるように形成されている。【００７４】
この本実施例１の上翼板（第２翼板）１１の全体は、単一の部材で構成されている。一方、下翼板（第１翼板）１２は、エレメント案内面を備えた下翼板第１主体部（第１翼板第１主体部）１２ａと、その下翼板第１主体部１２ａの下面（外面）側に取り付けられる下翼板第２主体部（第１翼板第２主体部）１２ｂとを有して構成されている。【００７５】
更に、スライダー胴体１の前端には、案内柱１３を間に挟んで左右の肩口が形成されているとともに、スライダー胴体１の後端には後口が形成されている。また、上翼板１１、下翼板１２、及び左右一対の下フランジ部１５に囲まれるように、左右の肩口と後口とを連通する略Ｙ字形状のエレメント案内路が形成されている。この場合、スライダー胴体１のエレメント案内路の内壁面（エレメント案内面）は、上翼板１１の内壁面、下翼板１２の内壁面、及び左右一対の下フランジ部１５の各内壁面により構成されている。更に、上翼板１１（特に、第１隆起部１６ａ）と下フランジ部１５との間には、スライドファスナー８ａのファスナーテープを挿通させるテープ挿通間隙が形成されている。【００７６】
また、本実施例１におけるスライダー胴体１は、図２に示したように、互いに組み付けることが可能なスライダー主部材（第１スライダー部材）２１とスライダー副部材（第２スライダー部材）２２とを有している。また、スライダー主部材２１とスライダー副部材２２とは、スライダー胴体１を組み立てると同時に当該スライダー胴体１のエレメント案内路にスライドファスナー８ａのエレメント列を挿入可能なように、スライダー胴体１のエレメント案内路の内壁面（エレメント案内面）がスライダー主部材２１とスライダー副部材２２の両方で形成される構造をもって構成されている。【００７７】
具体的には、スライダー主部材２１は、スライダー胴体１のうちの、上翼板１１の全体と、下翼板１２の下翼板第１主体部１２ａと、案内柱１３と、引手取付柱１４とを備えている。また、スライダー主部材２１は、例えば射出成形又はダイカスト成形などによってスライダー主部材２１の全体が一体的に構成されている。ここで、下翼板第１主体部１２ａは、スライダー副部材２２の後述する下翼板第２主体部１２ｂが取り付けられることにより、その下翼板第２主体部１２ｂとともに下翼板１２を構成する。【００７８】
このスライダー主部材２１の下翼板第１主体部１２ａは、平坦なエレメント案内面を構成する第１基部２１ａと、第１基部２１ａの肩口側端部（前端部）に形成された凹状の第１被嵌着部（嵌入凹部）２１ｂと、第１基部２１ａの左右側縁部に配された第２被嵌着部（突条部）２１ｃと、第１基部２１ａの下面から下方に突出した位置決め部２１ｄとを有している。【００７９】
この場合、第１基部２１ａの上面（内壁面）は、スライダー胴体１における下翼板１２のエレメント案内面の全体を形成している。なお、本発明においては、スライダー主部材２１における下翼板第１主体部（第１翼板第１主体部）１２ａの第１基部２１ａは、下翼板１２のエレメント案内面における少なくとも肩口側端部（前端部）のスライダー幅方向全体の領域を含んでいれば良く、本実施例１のように下翼板１２のエレメント案内面の全体の領域を含んでいる必要はない。【００８０】
本実施例１のスライダー主部材２１において、下翼板第１主体部１２ａの第１被嵌着部２１ｂは、スライダー副部材２２の一部（第１嵌着部２２ｂ）を挿入して嵌着させるように、下翼板第１主体部１２ａの前端部に後方に向けて凹設されている。第２被嵌着部２１ｃは、スライダー胴体１を組み立てたときに下フランジ部１５が配される部分に対応する領域に、第１基部２１ａの左右側縁部から上下方向に対して直交する方向に沿って外側へ向けて突出した突条部により構成されており、スライダー副部材２２の一部（第２嵌着部２２ｃ）を係止する。【００８１】
位置決め部２１ｄは、スライダー副部材２２における後述する第２基部２２ａの前端縁の形状に対応して形成されており、当該位置決め部２１ｄにスライダー副部材２２を当接させることにより、スライダー主部材２１に対するスライダー副部材２２の前後方向の位置が合わせられる。【００８２】
スライダー副部材２２は、スライダー主部材２１の下翼板第１主体部１２ａに嵌着する下翼板第２主体部１２ｂと、下翼板第２主体部１２ｂと一体的に形成された下フランジ部１５とを備えており、例えば射出成形又はダイカスト成形などによってスライダー副部材２２の全体が一体的に構成されている。【００８３】
下翼板第２主体部１２ｂは、下翼板第１主体部１２ａの第１基部２１ａに対して略平行に組み付けられる第２基部２２ａと、第２基部２２ａの左右側線部に配され、下フランジ部１５の土台となる左右の土台部２２ｄと、第２基部２２ａから前方（肩口側方向）に延出し、上下方向に弾性変形可能な延出部２２ｅと、延出部２２ｅの先端部に配され、スライダー主部材２１の第１被嵌着部２１ｂに嵌着するフック状（鉤状）の第１嵌着部（鉤部）２２ｂと、土台部２２ｄの内壁部に配され、スライダー主部材２１の第２被嵌着部２１ｃに嵌着する凹溝状の第２嵌着部（凹溝部）２２ｃとを有している。【００８４】
この場合、下翼板第２主体部１２ｂの第２基部２２ａは、下翼板第２主体部１２ｂの後半部に配され、且つ、平板状に形成されている。この第２基部２２ａの前端縁は、スライダー主部材２１の位置決め部２１ｄの形状に対応した形状を有している。【００８５】
フック状の第１嵌着部２２ｂは、延出部２２ｅの先端部に立設され、上端部が後方に張り出した鉤型の形状に形成されている。第２嵌着部２２ｃは、スライダー主部材２１の第２被嵌着部２１ｃが嵌入可能なように、土台部２２ｄに沿って、土台部２２ｄの内側面側に凹設されている。【００８６】
なお、本実施例２では、スライダー主部材２１の第２被嵌着部２１ｃが、第１基部２１ａの左右側縁部から突出した突条部により構成されるとともに、スライダー副部材２２の第２嵌着部２２ｃが土台部２２ｄの内側面側に凹設された凹溝部により構成されている。【００８７】
しかし、本発明において、スライダー主部材２１の第１及び第２被嵌着部２１ｂ，２１ｃの位置、大きさ、及び形態、並びに、スライダー副部材２２の第１及び第２嵌着部２２ｂ，２２ｃの位置、大きさ、及び形態などについては、スライダー副部材２２の第１及び第２嵌着部２２ｂ，２２ｃをスライダー主部材２１の第１及び第２被嵌着部２１ｂ，２１ｃにそれぞれ適切に嵌着させることができれば任意に変更することが可能である。例えばスライダー主部材２１の第２被嵌着部２１ｃを、第１基部２１ａの左右側面に凹設された凹溝部により構成し、スライダー副部材２２の第２嵌着部２２ｃを土台部２２ｄの内側面から突出した突条部により構成することも可能である。【００８８】
上述のようなスライダー主部材２１とスライダー副部材２２とを用いて本実施例１のスライダー胴体１を組み立てる場合、図２及び図３に示したように、先ず、スライダー副部材２２の第２嵌着部２２ｃ（凹溝部）を、スライダー主部材２１の第２被嵌着部２１ｃ（突条部）に後口側から嵌め入れて、更に、スライダー副部材２２をスライダー主部材２１の肩口側に向けて相対的にスライドさせる。これによって、スライダー副部材２２の第２嵌着部２２ｃをスライダー主部材２１の第２被嵌着部２１ｃに嵌着させる。【００８９】
このとき、スライダー副部材２２の延出部２２ｅが下方側に湾曲するように弾性変形するとともに、鉤状の第１嵌着部２２ｂがスライダー主部材２１の肩口側の端部まで移動する。更に、スライダー副部材２２の第２嵌着部２２ｃがスライダー主部材２１の第２被嵌着部２１ｃに嵌着した後、スライダー副部材２２をスライダー主部材２１に対して前方へ強く押すことによって、延出部２２ｅの先端部に起立する鉤状の第１嵌着部２２ｂを、スライダー主部材２１の第１被嵌着部２１ｂに嵌着させる。【００９０】
このようにしてスライダー副部材２２の第１及び第２嵌着部２２ｂ，２２ｃを、スライダー主部材２１の第１及び第２被嵌着部２１ｂ，２１ｃにそれぞれ嵌着させることによって、スライダー副部材２２がスライダー主部材２１に組み付けられて、スライダー主部材２１とスライダー副部材２２が所定の固定強度をもって安定して固定された図１のような本実施例１のスライダー胴体１が構成される。【００９１】
なお、このようにして一旦組み立てられた本実施例１のスライダー胴体１は、スライダー主部材２１とスライダー副部材２２とに再び分離することが可能である。例えばスライダー副部材２２をスライダー主部材２１に対して前方へ強く押しながら、細い棒状部材などを用いて、スライダー副部材２２の第１嵌着部２２ｂをスライダー主部材２１の第１被嵌着部２１ｂから抜脱させ、更に、スライダー副部材２２の延出部２２ｅを下方側に湾曲させながら、スライダー副部材２２をスライダー主部材２１の後口側に向けて相対的にスライドさせる。これによって、スライダー副部材２２の第２嵌着部２２ｃがスライダー主部材２１の第２被嵌着部２１ｃから抜脱するため、スライダー主部材２１とスライダー副部材２２とを分離させることができる。【００９２】
上述のようにスライダー主部材２１とスライダー副部材２２とを用いて組み立てられる本実施例１のスライダー１ａは、例えば左右のエレメント列の一部を分離させたファスナーチェーンに対して容易に取り付けることが可能である。【００９３】
具体的には、先ず、ファスナーチェーンの左右のエレメント列が分離し始めている部分において、左右のエレメント列をスライダー主部材２１の下翼板第１主体部１２ａと上翼板１１との間に挿入しながら、スライダー主部材２１に対してエレメント列の位置決めを行う。【００９４】
このとき、スライダー主部材２１の下翼板第１主体部１２ａと上翼板１１とが案内柱１３を介して一体的に形成されているため、エレメント列を下翼板第１主体部１２ａと上翼板１１との間に容易に挿入でき、しかも、スライダー主部材２１に対するエレメント列の位置決めも安定して行うことができる。【００９５】
次に、エレメント列が挿入されたスライダー主部材２１に対して、上述したようにスライダー副部材２２を嵌着させて組み付ける。これにより、図５に示すように、本実施例１におけるスライダー胴体１が組み立てられると同時に、そのスライダー胴体１のエレメント案内路にエレメント列を挿通させることができるため、スライダー胴体１がファスナーチェーンに簡単に且つ効率的に取り付けられる。【００９６】
そして、このように取り付けられたスライダー胴体１を有するスライダー１ａをファスナーチェーンのエレメント列に沿って摺動させることにより、ファスナーチェーンの左右のエレメント列を噛合・分離させることができる。【００９７】
従って、例えば図６に示したように、鞄などの物品１０に取着されているスライドファスナー８ａのスライダーの一部（例えば、引手取付柱）に破損が生じた場合には、その破損したスライダーをスライドファスナー８ａのエレメント列から取り外し、その後、当該スライドファスナー８ａのエレメント列に本実施例１のスライダー１ａを取り付けることにより、スライドファスナー８ａの修理を簡単に行うことができる。【００９８】
なお、本発明において、破損したスライダーをスライドファスナー８ａのエレメント列から取り外す方法は特に限定されるものではない。例えば、破損したスライダーの下フランジ部に強い力を加えてその下フランジ部を強制的に折り曲げることなどによって、そのスライダーをエレメント列から取り外すことが可能である。また、例えば破損したスライダーが本実施例１のスライダー１ａである場合には、スライダー主部材２１とスライダー副部材２２とを互いに分離することによって、スライダー１ａをエレメント列から容易に取り外すことが可能である。【００９９】
また、本実施例１のスライダー１ａは、上述のようなスライドファスナー８ａの修理を行う場合に好適に用いられるだけでなく、例えば使用者の趣味に応じてスライダーの交換を行う場合などにも好適に用いられる。【０１００】
以上のような本実施例１のスライダー１ａは、スライダー主部材２１において上翼板１１と下翼板第１主体部１２ａとが案内柱１３を介して一体的に形成されている。このため、上下翼板１１，１２間の間隔（特に、肩口側端部における上下翼板１１，１２間の間隔）が、スライダー胴体１を組み立てる際の組立精度の影響を受けることなく、所定の高さ寸法を安定して有することができ、上下翼板１１，１２間の間隔（すなわち、エレメント案内路の上下方向の高さ寸法）に寸法誤差が生じ難くなる。【０１０１】
従って、本実施例１のスライダー１ａでは、上下翼板１１，１２間に形成されるエレメント案内路の大きさや形態が安定するため、当該スライダー１ａをエレメント列に沿って摺動させたとき（特に、エレメント列の噛合方向に摺動させたとき）、当該スライダー１ａのエレメント案内路内におけるファスナーエレメントの姿勢や動きを安定させることができる。その結果、左右のエレメント列の噛合・分離を円滑に行うことができるとともに、スライダー１ａの良好な摺動性や操作性を確保することができる。【０１０２】
更に、本実施例１のスライダー１ａでは、上翼板１１及び下翼板１２におけるエレメント案内面の全体がスライダー主部材２１に設けられており、スライダー胴体１の上下翼板１１，１２における肩口側端縁から後口側端縁までのエレメント案内面に段差が形成されることを防いで、当該エレメント案内面が平坦に形成されている。これにより、本実施例１のスライダー１ａをエレメント列に沿って摺動させたときに、スライダー１ａのエレメント案内面にファスナーエレメントが引っ掛かるなどの不具合が生じることを防ぎ、スライダー１ａの摺動性や操作性を更に向上させることができる。【０１０３】
なお、本実施例１のスライダー１ａでは、下翼板１２におけるエレメント案内面の全体がスライダー主部材２１に設けられており、一方、この下翼板１２に対する下フランジ部１５がスライダー副部材２２に設けられている。従って、スライダー主部材２１とスライダー副部材２２との境界部の位置が、エレメント案内路を構成する下翼板１２と下フランジ部１５との間に設定されている。【０１０４】
しかし、本発明では、例えば下翼板１２の肩口側端部のエレメント案内面を含む一部分（内側部分）がスライダー主部材に設けられるとともに、下翼板１２の残りの部分（外側部分）と下フランジ部１５とがスライダー副部材に設けられることにより、スライダー主部材とスライダー副部材との境界部の位置が下翼板１２を区切るように設定されていても良い。【０１０５】
この場合、スライダー主部材側に配される下翼板１２の肩口側端部のエレメント案内面を含む一部分（内側部分）は、スライダー副部材側に配される下翼板１２の残りの部分（外側部分）よりも大きいことが好ましい。このようなスライダーを摺動させてスライドファスナーの開閉操作を行うことにより、左右のエレメント列を安定して噛合・分離させることができる。
ここで、「下翼板１２の肩口側端部のエレメント案内面を含む一部分（内側部分）」及び「下翼板１２の残りの部分（外側部分）」とは、エレメント案内路を構成する内面（エレメント案内面）のことである。また、その「大きさ」とは、それぞれのエレメント案内面の表面積の大きさである。
【実施例２】
【０１０６】
図７は、本実施例２に係るスライダーのスライダー胴体を示す斜視図である。図８は、同スライダー胴体をスライダー主部材とスライダー副部材とに分解した分解斜視図であり、図９は、スライダー主部材とスライダー副部材の組み立てを説明する説明図である。また、図１０は、同スライダー胴体における組み立てられた状態の断面図である。【０１０７】
なお、以降に述べる実施例の説明や図面において、既述した実施例１と実質的に同じ構成及び機能を有する部材及び部位については、その実施例１と同一の符号及び名称を用いて表すことによって、その詳細な説明を省略することとする。【０１０８】
本実施例２のスライダーは、スライダー胴体２と、スライダー胴体２の上翼板１１側に回動可能に保持される図示しない引手とを備えている。また、スライダー胴体２は、下翼板（第１翼板）１７と、上翼板（第２翼板）１１と、上下翼板１１，１７の肩口側端部間を連結する案内柱１３と、上翼板１１の上面側に配された引手取付柱１４と、下翼板１７の左右側縁部に沿って立設される下フランジ部１５とを有している。【０１０９】
このスライダー胴体２には、上翼板１１、下翼板１７、及び左右一対の下フランジ部１５に囲まれるように、略Ｙ字形状のエレメント案内路が形成されており、このエレメント案内路の内壁面（エレメント案内面）は、上翼板１１の内壁面、下翼板１７の内壁面、及び左右一対の下フランジ部１５の各内壁面により構成されている。【０１１０】
本実施例２において、第２翼板となる上翼板１１の全体は単一の部材で構成されている。一方、第１翼板となる下翼板１７は、エレメント案内面を備えた下翼板第１主体部（第１翼板第１主体部）１７ａと、その下翼板第１主体部１７ａの下面側に取り付けられる下翼板第２主体部（第１翼板第２主体部）１７ｂとを有して構成されている。【０１１１】
本実施例２におけるスライダー胴体２は、互いに組み付けることが可能なスライダー主部材（第１スライダー部材）３１とスライダー副部材（第２スライダー部材）３２とを有している。また、スライダー主部材３１とスライダー副部材３２とは、スライダー胴体２を組み立てると同時に当該スライダー胴体２のエレメント案内路にエレメント列を挿入可能なように、そのエレメント案内路の内壁面（エレメント案内面）がスライダー主部材３１とスライダー副部材３２の両方で形成される構造で構成されている。【０１１２】
この場合、スライダー主部材３１は、スライダー胴体２のうちの、上翼板１１の全体と、下翼板１７の下翼板第１主体部１７ａと、案内柱１３と、引手取付柱１４とを備えており、例えば射出成形又はダイカスト成形などによってスライダー主部材３１の全体が一体的に構成されている。【０１１３】
このスライダー主部材３１の下翼板第１主体部１７ａは、図９に示したように、平坦なエレメント案内面を構成する第１基部３１ａと、第１基部３１ａの肩口側端部（前端部）に形成された凹溝状の第１被嵌着部（嵌入凹部）３１ｂと、第１基部３１ａの後口側端部に形成された段差状の切欠き部３１ｄと、切欠き部３１ｄに形成された凹溝状の第２被嵌着部（嵌入凹部）３１ｃとを有している。この場合、第１基部３１ａの上面（内壁面）は、スライダー胴体２における下翼板１７のエレメント案内面の全体を形成している。【０１１４】
スライダー副部材３２は、スライダー主部材３１の下翼板第１主体部１７ａに嵌着する下翼板第２主体部１７ｂと、下翼板第２主体部１７ｂと一体的に形成された下フランジ部１５とを備えており、例えば射出成形又はダイカスト成形などによってスライダー副部材３２の全体が一体的に構成されている。【０１１５】
下翼板第２主体部１７ｂは、平板状の第２基部３２ａと、第２基部３２ａの左右側線部に配され、下フランジ部１５の土台となる左右の土台部３２ｄと、第２基部３２ａの後口側端部に立設され、スライダー主部材３１の切欠き部３１ｄに接触可能な位置決め部３２ｅとを有している。また、第２基部３２ａの前端部には、スライダー主部材３１の前端部側の第１被嵌着部３１ｂに嵌着するフック状（鉤状）の第１嵌着部（第１鉤部）３２ｂが立設されている。【０１１６】
この第２基部３２ａの後端部における幅方向中央部には、第２基部３２ａの後端から前方に向けて延びる左右一対の切込み部３２ｆが設けられているとともに、この一対の切込み部３２ｆに挟まれるように舌片部３２ｇが弾性変形可能に配されている。更に、この舌片部３２ｇの後端部には、スライダー主部材３１の後端部側の第２被嵌着部３１ｃに嵌着するフック状（鉤状）の第２嵌着部（第２鉤部）３２ｃが立設されている。【０１１７】
この場合、スライダー副部材３２をスライダー主部材３１に組み付ける際に、スライダー副部材３２の第１及び第２嵌着部３２ｂ，３２ｃをスライダー主部材３１の第１及び第２被嵌着部３１ｂ，３１ｃにそれぞれ嵌着させ易くするために、図９に示したように、スライダー主部材３１の第１及び第２被嵌着部３１ｂ，３１ｃの下面側先端に、スライダー副部材３２の第１及び第２嵌着部３２ｂ，３２ｃを誘導するための傾斜面が形成されている。また、スライダー副部材３２の第１及び第２嵌着部３２ｂ，３２ｃの先端部にも、先端に向けて下り傾斜する傾斜面が形成されている。【０１１８】
なお、本実施例２において、スライダー主部材３１の第１及び第２被嵌着部３１ｂ，３１ｃの位置、大きさ、及び形態、並びに、スライダー副部材３２の第１及び第２嵌着部３２ｂ，３２ｃの位置、大きさ、及び形態などについては、スライダー副部材３２の第１及び第２嵌着部３２ｂ，３２ｃをスライダー主部材３１の第１及び第２被嵌着部３１ｂ，３１ｃにそれぞれ適切に嵌着させることができれば任意に変更することが可能である。【０１１９】
このようなスライダー主部材３１とスライダー副部材３２とを用いて本実施例２のスライダー胴体２を組み立てる場合、図９に示したように、スライダー副部材３２をスライダー主部材３１の下方側から近付けて、当該スライダー副部材３２をスライダー主部材３１に向けて押し込む。【０１２０】
これにより、スライダー副部材３２の第２基部３２ａが部分的に弾性変形しながら（特に、舌片部３２ｇが弾性変形しながら）、スライダー副部材３２の第１及び第２嵌着部３２ｂ，３２ｃが、スライダー主部材３１の第１及び第２被嵌着部３１ｂ，３１ｃにそれぞれ挿入されて嵌着する。【０１２１】
或いは、スライダー副部材３２の第１嵌着部３２ｂをスライダー主部材３１の第１被嵌着部３１ｂに挿入して嵌着させた後、スライダー副部材３２の第２嵌着部３２ｃをスライダー主部材３１の第２被嵌着部３１ｃに向けて押し込む。これにより、スライダー副部材３２の舌片部３２ｇが弾性変形しながら、スライダー副部材３２の第２嵌着部３２ｃがスライダー主部材３１の第２被嵌着部３１ｃに挿入されて嵌着する。【０１２２】
また、本実施例２では、スライダー副部材３２をスライダー主部材３１に嵌着させる際に、スライダー副部材３２の位置決め部３２ｅがスライダー主部材３１の切欠き部３１ｄに挿入されることにより、スライダー主部材３１に対するスライダー副部材３２の位置をより安定させることができる。【０１２３】
このようにしてスライダー副部材３２の第１及び第２嵌着部３２ｂ，３２ｃを、スライダー主部材３１の第１及び第２被嵌着部３１ｂ，３１ｃにそれぞれ嵌着させることによって、スライダー主部材３１とスライダー副部材３２が所定の固定強度をもって安定して固定された本実施例２のスライダー胴体２が構成される。【０１２４】
なお、このようにして一旦組み立てられた本実施例２のスライダー胴体２は、例えばスライダー副部材３２をスライダー主部材３１に対して後方へ強く押しながら、細い棒状部材などを用いて、スライダー副部材３２の第２嵌着部３２ｃをスライダー主部材３１の第２被嵌着部３１ｃから抜脱させることによって、スライダー主部材３１とスライダー副部材３２とに再び分離することが可能である。【０１２５】
このようなスライダー胴体２を有する本実施例２のスライダーは、前述の実施例１のスライダー１ａのスライダー胴体１と同様に、左右のエレメント列の一部を分離させたファスナーチェーンに対して容易に取り付けることが可能であるため、スライドファスナーの修理やスライダーの交換を行う際に好適に用いられる。【０１２６】
特に、本実施例２のスライダーは、スライダー主部材３１において、上翼板１１と下翼板第１主体部１７ａとが案内柱１３を介して一体的に形成されているため、上下翼板１１，１７間の間隔（特に、肩口側端部における上下翼板１１，１７間の間隔）が所定の高さ寸法を安定して有しており、スライダー胴体２におけるエレメント案内路の上下方向の高さ寸法に誤差が生じ難くなる。【０１２７】
従って、本実施例２のスライダーをエレメント列に沿って摺動させたときに、左右のエレメント列の噛合・分離を円滑に行うことができるとともに、スライダーの良好な摺動性や操作性を確保することができる。【０１２８】
更に、本実施例２のスライダーでは、上翼板１１及び下翼板１７におけるエレメント案内面の全体がスライダー主部材３１に設けられており、スライダー胴体２の上下翼板１１，１７における肩口側端縁から後口側端縁までのエレメント案内面に段差が形成されることを防いでいる。これにより、前述の実施例１のスライダー１ａと同様に、スライダーの摺動性や操作性を更に向上させることができる。【０１２９】
なお、本実施例２のスライダーでも、スライダー主部材３１とスライダー副部材３２との境界部の位置が、下翼板１７と下フランジ部１５との間に設定されている。しかし、本発明では、下翼板１７の肩口側端部のエレメント案内面を含む一部分（内側部分）がスライダー主部材３１に設けられるとともに、下翼板１７の残りの部分（外側部分）と下フランジ部１５とがスライダー副部材３２に設けられることにより、スライダー主部材３１とスライダー副部材３２との境界部の位置が下翼板１７を区切るように設定されていても良い。
【実施例３】
【０１３０】
図１１は、本実施例３に係るスライダーのスライダー胴体を分解した分解斜視図であり、図１２は、同スライダー胴体における組み立てられた状態の断面図である。【０１３１】
本実施例３のスライダーは、スライダー胴体３と、スライダー胴体３に回動可能に保持される図示しない引手とを備えている。また、スライダー胴体３は、下翼板（第１翼板）１８と、上翼板（第２翼板）１１と、上下翼板１１，１８の肩口側端部間を連結する案内柱１３と、上翼板１１の上面側に配された引手取付柱１４と、下翼板１８の左右側縁部に沿って立設される下フランジ部１５とを有している。【０１３２】
本実施例３において、上翼板（第２翼板）１１の全体は単一の部材で構成されている。一方、下翼板（第１翼板）１８は、エレメント案内面を備えた下翼板第１主体部（第１翼板第１主体部）１８ａと、その下翼板第１主体部１８ａの下面側に取り付けられる下翼板第２主体部（第１翼板第２主体部）１８ｂとを有して構成されている。【０１３３】
本実施例３におけるスライダー胴体３は、互いに組み付けることが可能なスライダー主部材（第１スライダー部材）４１とスライダー副部材（第２スライダー部材）４２とを有している。また、スライダー主部材４１とスライダー副部材４２とは、スライダー胴体３を組み立てると同時に当該スライダー胴体３のエレメント案内路にエレメント列を挿入可能なように、スライダー胴体３のエレメント案内面がスライダー主部材４１とスライダー副部材４２の両方で形成されている。【０１３４】
この場合、スライダー主部材４１は、スライダー胴体３のうちの、上翼板１１の全体と、下翼板１８の下翼板第１主体部１８ａと、案内柱１３と、引手取付柱１４とを備えており、例えば射出成形又はダイカスト成形などによってスライダー主部材４１の全体が一体的に構成されている。【０１３５】
このスライダー主部材４１の下翼板第１主体部１８ａは、平坦なエレメント案内面を構成する第１基部４１ａと、第１基部４１ａの後口側端部に形成された段差状の切欠き部４１ｄとを有している。この場合、第１基部４１ａの上面（内壁面）は、スライダー胴体３における下翼板１８のエレメント案内面の全体を形成している。【０１３６】
スライダー副部材４２は、スライダー主部材４１の下翼板第１主体部１８ａに嵌着する下翼板第２主体部１８ｂと、下翼板第２主体部１８ｂと一体的に形成された下フランジ部１５とを備えており、例えば射出成形又はダイカスト成形などによってスライダー副部材４２の全体が一体的に構成されている。【０１３７】
下翼板第２主体部１８ｂは、平板状の第２基部４２ａと、第２基部４２ａの左右側線部に配され、下フランジ部１５の土台となる左右の土台部４２ｄと、第２基部４２ａの後口側端部に立設され、スライダー主部材４１の切欠き部４１ｄに挿入される位置決め部４２ｅとを有している。この場合、下翼板第２主体部１８ｂの左右の土台部４２ｄと位置決め部４２ｅとが互いに連結されていることにより、下翼板第２主体部１８ｂの強度が高められている。【０１３８】
このようなスライダー主部材４１とスライダー副部材４２とを用いて本実施例３のスライダー胴体３を組み立てる場合、先ず、スライダー副部材４２における第２基部４２ａの上面全体に接着剤を塗布する。次に、スライダー副部材４２の位置決め部４２ｅがスライダー主部材４１の切欠き部４１ｄに挿入されるようにして、スライダー副部材４２の第２基部４２ａを、スライダー主部材４１の第１基部４１ａの下面側に接着剤を介して接着させる。この場合、接着剤としては、例えば、溶剤揮発型の接着剤、加熱硬化型の接着剤、二液硬化型の接着剤、又はフィルム状の接着剤などの種々の接着剤を任意に選択して用いることができる。【０１３９】
これにより、スライダー副部材４２がスライダー主部材４１に組み付けられて固定された本実施例３のスライダー胴体３が構成される。なお、本発明においては、スライダー副部材４２をスライダー主部材４１に組み付けて固定する際に、上述のような接着剤による接着ではなく、高周波溶着や熱溶着などの溶着手段を利用することも可能である。【０１４０】
このような本実施例３のスライダーは、前述の実施例１や実施例２の場合と同様に、左右のエレメント列の一部を分離させたファスナーチェーンに対して容易に取り付けることが可能であるため、スライドファスナーの修理やスライダーの交換を行う際に好適に用いられる。【０１４１】
また、本実施例３のスライダーでは、上下翼板１１，１８間の間隔（特に、肩口側端部における上下翼板１１，１８間の間隔）が所定の高さ寸法を安定して有しており、スライダー胴体３におけるエレメント案内路の上下方向の高さ寸法に誤差が生じ難くなる。更に、スライダー胴体３の上下翼板１１，１８における肩口側端縁から後口側端縁までのエレメント案内面に段差が形成されていない。このため、良好な摺動性や操作性を得ることができる。
【実施例４】
【０１４２】
図１３は、本実施例４に係るスライダーのスライダー胴体を分解した分解斜視図であり、図１４は、同スライダー胴体における組み立てられた状態の断面図である。【０１４３】
本実施例４のスライダーは、スライダー胴体４と、スライダー胴体４に回動可能に保持される図示しない引手とを備えている。また、スライダー胴体４は、下翼板（第１翼板）１９と、上翼板（第２翼板）１１と、上下翼板１１，１９の肩口側端部間を連結する案内柱１３と、上翼板１１の上面側に配された引手取付柱１４と、下翼板１９の左右側縁部に沿って立設される下フランジ部１５とを有している。【０１４４】
本実施例４において、上翼板（第２翼板）１１の全体は単一の部材で構成されている。一方、下翼板（第１翼板）１９は、エレメント案内面を備えた下翼板第１主体部（第１翼板第１主体部）１９ａと、その下翼板第１主体部１９ａの下面側に取り付けられる下翼板第２主体部（第１翼板第２主体部）１９ｂとを有して構成されている。【０１４５】
本実施例４におけるスライダー胴体４は、互いに組み付けることが可能なスライダー主部材（第１スライダー部材）５１及びスライダー副部材（第２スライダー部材）５２と、スライダー主部材５１及びスライダー副部材５２が嵌着した状態を保持し固定する割りピン部材５３とを有している。また、スライダー主部材５１とスライダー副部材５２とは、スライダー胴体４を組み立てると同時に当該スライダー胴体４のエレメント案内路にエレメント列を挿入可能なように、スライダー胴体４のエレメント案内面がスライダー主部材５１とスライダー副部材５２とにより形成される。【０１４６】
この場合、スライダー主部材５１は、スライダー胴体４のうちの、上翼板１１の全体と、下翼板１９の下翼板第１主体部１９ａと、案内柱１３と、引手取付柱１４とを一体的に備えている。また、スライダー主部材５１の下翼板第１主体部１９ａと案内柱１３とには、図１４に示したように、スライダー副部材５２の後述する固定柱５２ｈを挿入するための柱挿入孔５１ｅが、下翼板第１主体部１９ａの下面側から上方に向けて設けられている。【０１４７】
更に、スライダー主部材５１の案内柱１３には、割りピン部材５３を挿入するための第１ピン挿入孔５１ｆが、案内柱１３の前面側から後方に向けて設けられている。この場合、第１ピン挿入孔５１ｆは、柱挿入孔５１ｅと交わるように、柱挿入孔５１ｅの形成位置よりも後方側まで延びて形成されている。【０１４８】
また、スライダー主部材５１の下翼板第１主体部１９ａは、平坦なエレメント案内面を構成する第１基部５１ａと、第１基部５１ａの後口側端部に形成された段差状の切欠き部５１ｄと、切欠き部５１ｄの後方に向いた段差面に形成された凹溝状の被嵌着部（嵌入凹部）５１ｂとを有している。この場合、第１基部５１ａの上面（内壁面）は、スライダー胴体４における下翼板１９のエレメント案内面の全体を形成している。【０１４９】
スライダー副部材５２は、スライダー主部材５１の下翼板第１主体部１９ａに嵌着する下翼板第２主体部１９ｂと、下翼板第２主体部１９ｂと一体的に形成された下フランジ部１５と、下翼板第２主体部１９ｂの前端部に立設された固定柱５２ｈとを一体的に備えている。【０１５０】
下翼板第２主体部１９ｂは、平板状の第２基部５２ａと、第２基部５２ａの左右側線部に配され、下フランジ部１５の土台となる左右の土台部５２ｄと、第２基部５２ａの後口側端部に立設され、スライダー主部材５１の切欠き部５１ｄに挿入される位置決め部５２ｅとを有している。【０１５１】
この第２基部５２ａの後端部における幅方向中央部には、第２基部５２ａの後端から前方に向けて延びる左右一対の切込み部５２ｆが設けられているとともに、この一対の切込み部５２ｆに挟まれるように舌片部５２ｇが弾性変形可能に配されている。更に、この舌片部５２ｇの後端部には、スライダー主部材５１の被嵌着部５１ｂに嵌着するフック状（鉤状）の嵌着部５２ｂが立設されている。【０１５２】
この場合、スライダー副部材５２をスライダー主部材５１に組み付ける際に、スライダー副部材５２の嵌着部５２ｂをスライダー主部材５１の被嵌着部５１ｂに嵌着させ易くするために、図１４に示したように、スライダー主部材５１の被嵌着部５１ｂの下面側先端に、スライダー副部材５２の嵌着部５２ｂを誘導するための傾斜面が形成されている。また、スライダー副部材５２の嵌着部５２ｂの先端部にも、先端に向けて下り傾斜する傾斜面が形成されている。【０１５３】
スライダー副部材５２の固定柱５２ｈは、スライダー主部材５１に穿設した柱挿入孔５１ｅの空間部に対応した形状（本実施例４の場合は、四角柱状）を有している。また、この固定柱５２ｈには、割りピン部材５３を挿入するための第２ピン挿入孔５２ｉが前後方向に沿って穿設されている。この場合、第２ピン挿入孔５２ｉは、スライダー副部材５２をスライダー主部材５１に組み付けたときに、第２ピン挿入孔５２ｉと第１ピン挿入孔５１ｆとが繋がるように、スライダー主部材５１の第１ピン挿入孔５１ｆの位置に対応する位置に設けられている。【０１５４】
本実施例４の割りピン部材５３は、円筒状に形成されている。また、この割りピン部材５３は、その長さ方向に沿って形成された直線状のスリット５３ａを有しており、このスリット５３ａを狭める方向に押圧されることにより、割りピン部材５３を縮径させるように弾性変形させることが可能である。【０１５５】
このようなスライダー主部材５１、スライダー副部材５２、及び割りピン部材５３を有する本実施例４のスライダー胴体４を組み立てる場合、先ず、スライダー副部材５２の固定柱５２ｈをスライダー主部材５１の柱挿入孔５１ｅ内に嵌入する。【０１５６】
続いて、スライダー副部材５２の嵌着部５２ｂをスライダー主部材５１の被嵌着部５１ｂに向けて押し込む。これにより、スライダー副部材５２の舌片部５２ｇが弾性変形しながら、スライダー副部材５２の嵌着部５２ｂがスライダー主部材５１の被嵌着部５１ｂに挿入されて嵌着する。【０１５７】
これにより、スライダー副部材５２が、下翼板第１主体部１９ａの下面側からスライダー主部材５１に組み付けられる。またこのとき、スライダー副部材５２の下翼板第２主体部１９ｂがスライダー主部材５１の下翼板第１主体部１９ａに密着し、スライダー主部材５１に形成された第１ピン挿入孔５１ｆの位置と、スライダー副部材５２に形成された第２ピン挿入孔５２ｉの位置とが合わせられる。【０１５８】
次に、割りピン部材５３を押圧して縮径させた状態で、スライダー主部材５１の前面側からスライダー主部材５１の第１ピン挿入孔５１ｆ及びスライダー副部材５２の第２ピン挿入孔５２ｉに挿入する。その後、割りピン部材５３の押圧を解除することにより、割りピン部材５３が弾性復帰して第１及び第２ピン挿入孔５２ｉ内に圧着する。これにより、スライダー副部材５２がスライダー主部材５１に組み付けられた状態が割りピン部材５３で保持されるため、スライダー主部材５１とスライダー副部材５２が所定の固定強度をもって安定して固定された本実施例４のスライダー胴体４が構成される。【０１５９】
このような本実施例４のスライダーは、前述の実施例１〜３の場合と同様に、左右のエレメント列の一部を分離させたファスナーチェーンに対して容易に取り付けることが可能であるため、スライドファスナーの修理やスライダーの交換を行う際に好適に用いられる。【０１６０】
また、本実施例４のスライダーでは、上下翼板１１，１９間の間隔（特に、肩口側端部における上下翼板１１，１９間の間隔）が所定の高さ寸法を安定して有しており、スライダー胴体１におけるエレメント案内路の上下方向の高さ寸法に誤差が生じ難くなる。更に、スライダー胴体４の上下翼板１１，１９における肩口側端縁から後口側端縁までのエレメント案内面に段差が形成されていない。このため、良好な摺動性や操作性を得ることができる。
【実施例５】
【０１６１】
図１５は、本実施例５に係るスライダーのスライダー胴体を示す斜視図である。また、図１６は、同スライダー胴体の断面図であり、図１７は、同スライダー胴体を後口側から見たときの模式図である。【０１６２】
本実施例５のスライダーは、スライダー胴体５と、スライダー胴体５に回動可能に保持される図示しない引手とを備えており、例えば図１７に示したように、左右のファスナーストリンガーのエレメント列がファスナーテープに対して上面側に配されるタイプのスライドファスナー８ｂに用いられる。【０１６３】
本実施例５のスライダー胴体５は、上翼板６１と、下翼板６２と、上下翼板６１，６２の肩口側端部間を連結する案内柱６３と、上翼板６１の上面側に配された引手取付柱６４と、上翼板６１の左右側縁部に沿って垂設される上フランジ部６５とを有している。なお、本実施例５の場合においては、上翼板６１が本発明の第１翼板として配され、下翼板６２が本発明の第２翼板として配されている。【０１６４】
本実施例５において、第２翼板となる下翼板６２の全体は単一の部材で構成されている。一方、第１翼板となる上翼板６１は、エレメント案内面を備えた上翼板第１主体部（第１翼板第１主体部）６１ａと、その上翼板第１主体部６１ａの上面側に取り付けられる上翼板第２主体部（第１翼板第２主体部）６１ｂとを有して構成されている。【０１６５】
本実施例５におけるスライダー胴体５は、互いに組み付けることが可能なスライダー主部材（第１スライダー部材）７１とスライダー副部材（第２スライダー部材）７２とを有している。また、スライダー主部材７１とスライダー副部材７２とは、スライダー胴体５を組み立てると同時に当該スライダー胴体５のエレメント案内路にエレメント列を挿入可能なように、スライダー胴体５のエレメント案内面がスライダー主部材７１とスライダー副部材７２の両方で形成されている。【０１６６】
この場合、スライダー主部材７１は、スライダー胴体５のうちの、上翼板６１の上翼板第１主体部６１ａと、下翼板６２の全体と、案内柱６３とを備えており、例えば射出成形又はダイカスト成形などによってスライダー主部材７１の全体が一体的に構成されている。【０１６７】
このスライダー主部材７１の上翼板第１主体部６１ａは、平坦なエレメント案内面を構成する第１基部７１ａと、第１基部７１ａの肩口側端部（前端部）に形成された凹溝状の第１被嵌着部（嵌入凹部）７１ｂと、第１基部７１ａの後口側端部に形成された段差状の切欠き部と、切欠き部の後方に向いた段差面に形成された凹溝状の第２被嵌着部（嵌入凹部）７１ｃとを有している。この場合、第１基部７１ａの下面（内壁面）は、スライダー胴体５における上翼板６１のエレメント案内面の全体を形成している。【０１６８】
スライダー副部材７２は、スライダー主部材７１の上翼板第１主体部６１ａに嵌着する上翼板第２主体部６１ｂと、上翼板第２主体部６１ｂと一体的に形成された上フランジ部６５と、引手取付柱６４とを備えており、例えば射出成形又はダイカスト成形などによってスライダー副部材７２の全体が一体的に構成されている。【０１６９】
上翼板第２主体部６１ｂは、平板状の第２基部７２ａと、第２基部７２ａの左右側線部に配され、上フランジ部６５が垂設される左右の土台部と、第２基部７２ａの後口側端部に垂設され、スライダー主部材７１の切欠き部に挿入される位置決め部７２ｅとを有している。また、第２基部７２ａの前端部には、スライダー主部材７１の前端部側の第１被嵌着部７１ｂに嵌着するフック状（鉤状）の第１嵌着部７２ｂが垂設されている。【０１７０】
この第２基部７２ａの後端部における幅方向中央部には、第２基部７２ａの後端から前方に向けて延びる左右一対の切込み部７２ｆが設けられているとともに、この一対の切込み部７２ｆに挟まれるように舌片部７２ｇが弾性変形可能に配されている。更に、この舌片部７２ｇの後端部には、スライダー主部材７１の後端部側の第２被嵌着部７１ｃに嵌着するフック状（鉤状）の第２嵌着部７２ｃが垂設されている。【０１７１】
この場合、スライダー副部材７２をスライダー主部材７１に組み付ける際に、スライダー副部材７２の第１及び第２嵌着部７２ｂ，７２ｃをスライダー主部材７１の第１及び第２被嵌着部７１ｂ，７１ｃにそれぞれ嵌着させ易くするために、図１６に示したように、スライダー主部材７１の第１及び第２被嵌着部７１ｂ，７１ｃの上面側先端に、スライダー副部材７２の第１及び第２嵌着部７２ｂ，７２ｃを誘導するための傾斜面が形成されている。また、スライダー副部材７２の第１及び第２嵌着部７２ｂ，７２ｃの先端部にも、先端に向けて上り傾斜する傾斜面が形成されている。【０１７２】
このようなスライダー主部材７１とスライダー副部材７２とを用いて本実施例５のスライダー胴体５を組み立てる場合、スライダー副部材７２をスライダー主部材７１の上方側から近付けて、当該スライダー副部材７２をスライダー主部材７１に向けて押し込む。これにより、スライダー副部材７２の第２基部７２ａが部分的に弾性変形しながら（特に、舌片部７２ｇが弾性変形しながら）、スライダー副部材７２の第１及び第２嵌着部７２ｂ，７２ｃが、スライダー主部材７１の第１及び第２被嵌着部７１ｂ，７１ｃにそれぞれ挿入されて嵌着する。【０１７３】
或いは、スライダー副部材７２の第１嵌着部７２ｂをスライダー主部材７１の第１被嵌着部７１ｂに挿入して嵌着させた後、スライダー副部材７２の第２嵌着部７２ｃをスライダー主部材７１の第２被嵌着部７１ｃに向けて押し込む。これにより、スライダー副部材７２の舌片部７２ｇが弾性変形しながら、スライダー副部材７２の第２嵌着部７２ｃがスライダー主部材７１の第２被嵌着部７１ｃに挿入されて嵌着する。【０１７４】
また、本実施例５では、スライダー副部材７２をスライダー主部材７１に嵌着させる際に、スライダー副部材７２の位置決め部７２ｅがスライダー主部材７１の切欠き部に挿入されることにより、スライダー主部材７１に対するスライダー副部材７２の位置をより安定させることができる。【０１７５】
このようにしてスライダー副部材７２の第１及び第２嵌着部７２ｂ，７２ｃを、スライダー主部材７１の第１及び第２被嵌着部７１ｂ，７１ｃにそれぞれ嵌着させることによって、スライダー主部材７１とスライダー副部材７２が所定の固定強度をもって安定して固定された本実施例５のスライダー胴体５が構成される。【０１７６】
このようなスライダー胴体５を有する本実施例５のスライダーでは、前述の実施例１〜４の場合と同様の作用効果を得ることができる。
なお、このようにして一旦組み立てられた本実施例５のスライダー胴体５は、例えばスライダー副部材７２の第２嵌着部７２ｃをスライダー主部材７１の第２被嵌着部７１ｃから抜脱させることによって、スライダー主部材７１とスライダー副部材７２とに再び分離することが可能である。
【実施例６】
【０１７７】
図１８は、本実施例６に係るスライダーのスライダー胴体を示す斜視図であり、図１９は、同スライダー胴体の断面図である。
本実施例６のスライダーは、スライダー胴体６と、スライダー胴体６の上翼板８１側に回動可能に保持される図示しない引手とを備えており、例えば、ファスナーテープに合成樹脂製のファスナーエレメントを射出成形してエレメント列が形成されるタイプのスライドファスナーに用いられる。【０１７８】
本実施例６のスライダー胴体６は、上翼板８１と、下翼板８２と、上下翼板８１，８２の肩口側端部間を連結する案内柱８３と、上翼板８１の上面側に配された引手取付柱８４と、上翼板８１の左右側縁部に沿って垂設される上フランジ部８５と、下翼板８２の左右側縁部に沿って立設される下フランジ部８６とを有している。この場合、スライダー胴体６の上翼板８１を本発明の第１翼板と設定し、下翼板８２を本発明の第２翼板と設定することができる。なお、本実施例６の場合においては、下翼板８２を本発明の第１翼板と設定し、上翼板８１を本発明の第２翼板と設定することも可能である。【０１７９】
本実施例６における上翼板（第１翼板）８１は、エレメント案内面を備えた上翼板第１主体部（第１翼板第１主体部）８１ａと、その上翼板第１主体部８１ａの上面側に取り付けられる上翼板第２主体部（第１翼板第２主体部）８１ｂとを有して構成されている。また、下翼板（第２翼板）８２は、エレメント案内面を備えた下翼板第１主体部（第２翼板第１主体部）８２ａと、その下翼板第１主体部８２ａの下面側に取り付けられる下翼板第２主体部（第２翼板第２主体部）８２ｂとを有して構成されている。【０１８０】
また、本実施例６におけるスライダー胴体６は、上翼板第１主体部８１ａ及び下翼板第１主体部８２ａを備えたスライダー主部材９１と、スライダー主部材９１の上面側に組み付けられるスライダー第１副部材９２と、スライダー主部材９１の下面側に組み付けられるスライダー第２副部材９３とを有している。この場合、スライダー胴体６は、そのエレメント案内面がスライダー主部材９１、スライダー第１副部材９２、及びスライダー第２副部材９３を用いて形成されるように構成されている。【０１８１】
スライダー主部材９１は、スライダー胴体６のうちの、上翼板８１の上翼板第１主体部８１ａと、下翼板８２の下翼板第１主体部８２ａと、上翼板第１主体部８１ａ及び下翼板第１主体部８２ａ間を連結する案内柱８３とを備えており、例えば射出成形又はダイカスト成形などによってスライダー主部材９１の全体が一体的に構成されている。【０１８２】
ここで、上翼板第１主体部８１ａは、スライダー第１副部材９２の後述する上翼板第２主体部８１ｂが取り付けられることにより、当該上翼板第２主体部８１ｂとともに上翼板８１を構成する。また、下翼板第１主体部８２ａは、スライダー第２副部材９３の後述する下翼板第２主体部８２ｂが取り付けられることにより、当該下翼板第２主体部８２ｂとともに下翼板８２を構成する。【０１８３】
この場合、本実施例６におけるスライダー主部材９１の上翼板第１主体部８１ａは、前述の実施例５におけるスライダー主部材７１の上翼板第１主体部６１ａと実質的に同様に構成されている。また、スライダー主部材９１の下翼板第１主体部８２ａは、前述の実施例２におけるスライダー主部材３１の下翼板第１主体部１７ａと実質的に同様に構成されている。【０１８４】
本実施例６におけるスライダー第１副部材９２は、前述の実施例５におけるスライダー副部材７２と実質的に同様に構成されている。更に、本実施例６におけるスライダー第２副部材９３は、前述の実施例２におけるスライダー副部材３２と実質的に同様に構成されている。【０１８５】
このようなスライダー主部材９１、スライダー第１副部材９２、及びスライダー第２副部材９３を用いて本実施例６のスライダー胴体６を組み立てる場合、スライダー第１副部材９２をスライダー主部材９１の上面側に嵌着させて組み付けるとともに、スライダー第２副部材９３をスライダー主部材９１の下面側に嵌着させて組み付ける。【０１８６】
これにより、スライダー主部材９１に対してスライダー第１副部材９２及びスライダー第２副部材９３が所定の固定強度をもって安定して固定された本実施例６のスライダー胴体６が構成される。このようなスライダー胴体６を有する本実施例６のスライダーであっても、前述の実施例１〜５の場合と同様の作用効果を得ることができる。なお、一旦組み立てられた本実施例６のスライダー胴体６は、スライダー主部材９１、スライダー第１副部材９２、及びスライダー第２副部材９３に再び分離することも可能である。
【符号の説明】
【０１８７】
１                スライダー胴体
１ａ              スライダー
２，３，４        スライダー胴体
５，６            スライダー胴体
８ａ，８ｂ        スライドファスナー
９                引手
１０                物品
１１                上翼板
１２                下翼板
１２ａ              下翼板第１主体部
１２ｂ              下翼板第２主体部
１３                案内柱
１４                引手取付柱
１５                下フランジ部
１６ａ              第１隆起部
１６ｂ              第２隆起部
１６ｃ              第３隆起部
１７                下翼板
１７ａ              下翼板第１主体部
１７ｂ              下翼板第２主体部
１８                下翼板
１８ａ              下翼板第１主体部
１８ｂ              下翼板第２主体部
１９                下翼板
１９ａ              下翼板第１主体部
１９ｂ              下翼板第２主体部
２１                スライダー主部材
２１ａ              第１基部
２１ｂ              第１被嵌着部（嵌入凹部）
２１ｃ              第２被嵌着部（突条部）
２１ｄ              位置決め部
２２                スライダー副部材
２２ａ              第２基部
２２ｂ              第１嵌着部
２２ｃ              第２嵌着部
２２ｄ              土台部
２２ｅ              延出部
３１                スライダー主部材
３１ａ              第１基部
３１ｂ              第１被嵌着部（嵌入凹部）
３１ｃ              第２被嵌着部（嵌入凹部）
３１ｄ              切欠き部
３２                スライダー副部材
３２ａ              第２基部
３２ｂ              第１嵌着部（第１鉤部）
３２ｃ              第２嵌着部（第２鉤部）
３２ｄ              土台部
３２ｅ              位置決め部
３２ｆ              切込み部
３２ｇ              舌片部
４１                スライダー主部材
４１ａ              第１基部
４１ｄ              切欠き部
４２                スライダー副部材
４２ａ              第２基部
４２ｄ              土台部
４２ｅ              位置決め部
５１                スライダー主部材
５１ａ              第１基部
５１ｂ              被嵌着部（嵌入凹部）
５１ｄ              切欠き部
５１ｅ              柱挿入孔
５１ｆ              第１ピン挿入孔
５２                スライダー副部材
５２ａ              第２基部
５２ｂ              嵌着部
５２ｄ              土台部
５２ｅ              位置決め部
５２ｆ              切込み部
５２ｇ              舌片部
５２ｈ              固定柱
５２ｉ              第２ピン挿入孔
５３                割りピン部材
５３ａ              スリット
６１                上翼板
６１ａ              上翼板第１主体部
６１ｂ              上翼板第２主体部
６２                下翼板
６３                案内柱
６４                引手取付柱
６５                上フランジ部
７１                スライダー主部材
７１ａ              第１基部
７１ｂ              第１被嵌着部（嵌入凹部）
７１ｃ              第２被嵌着部（嵌入凹部）
７２                スライダー副部材
７２ａ              第２基部
７２ｂ              第１嵌着部
７２ｃ              第２嵌着部
７２ｅ              位置決め部
７２ｆ              切込み部
７２ｇ              舌片部
８１                上翼板
８１ａ              上翼板第１主体部
８１ｂ              上翼板第２主体部
８２                下翼板
８２ａ              下翼板第１主体部
８２ｂ              下翼板第２主体部
８３                案内柱
８４                引手取付柱
８５                上フランジ部
８６                下フランジ部
９１                スライダー主部材
９２                スライダー第１副部材
９３                スライダー第２副部材
【図１】
2014006773.tif 000003
【図２】
2014006773.tif 000004
【図３】
2014006773.tif 000005
【図４】
2014006773.tif 000006
【図５】
2014006773.tif 000007
【図６】
2014006773.tif 000008
【図７】
2014006773.tif 000009
【図８】
2014006773.tif 000010
【図９】
2014006773.tif 000011
【図１０】
2014006773.tif 000012
【図１１】
2014006773.tif 000013
【図１２】
2014006773.tif 000014
【図１３】
2014006773.tif 000015
【図１４】
2014006773.tif 000016
【図１５】
2014006773.tif 000017
【図１６】
2014006773.tif 000018
【図１７】
2014006773.tif 000019
【図１８】
2014006773.tif 000020
【図１９】
2014006773.tif 000021
【図２０】
2014006773.tif 000022
【手続補正書】
【提出日】平成27年9月28日(2015.9.28)
【手続補正１】
【補正対象書類名】特許請求の範囲
【補正対象項目名】請求項８
【補正方法】変更
【補正の内容】
【請求項８】
前記スライダー副部材(42)と前記スライダー主部材(41)とが接着又は溶着している請求項１〜３のいずれかに記載のスライダー。
【国際調査報告】
2014006773.tif 000023
2014006773.tif 000024
2014006773.tif 000025
2014006773.tif 000026